(57)【要約】【課題】従来の長手方向に直交する両面にファン及び／又は換気扇を設けたハウスの送風システムは、外気の導入と、これに基づき内気の排気を図り、ハウスの環境維持を意図する。しかし、防虫ネットを備えない構成であるので、ハウス内の空気の流れを画策するに留まり、ハウス全体における気流の流れは、必ずしも充分とは考えられない。【構成】ハウスの両妻面にファン及び／又は換気扇を設け、両妻面内部に一枚又は複数枚の防虫ネットを張装し、ファン・一方側の防虫ネットを介してハウスへの外気の導入、及び他方の防虫ネット・換気扇を介してハウスの内気の排気を図り、一方側のファン・防虫ネット、並びに他方の防虫ネット・換気扇を介して、ハウスの長手方向に略水平方向の空気の流れと、広域的な空気の流れを確保するハウスの送風システムである。【選択図】図１
2008061544.tif 000002
【特許請求の範囲】
【請求項１】
ハウスの両妻面にファン及び／又は換気扇をそれぞれ設けたハウスの送風システムであって、
このハウスの両妻面内部に一枚又は複数枚の防虫ネットを張装し、前記ファン及び一方側の防虫ネットを介して前記ハウスへの外気の導入、及びこの他方の防虫ネット及び前記換気扇を介してこのハウスの内気の排気を図るとともに、この一方側のファン及び防虫ネット、並びにこの他方の防虫ネット及び換気扇を介して、当該ハウスの長手方向に略水平方向の空気の流れと、広域的な空気の流れを確保する構成としたハウスの送風システム。
【請求項２】
請求項１に記載のハウスの送風システムに採用するファンが導入ファンであって、
この導入ファンを介して導入した外気を、一方側の防虫ネットで整流し、略水平方向の気流としてハウス内に送風し、このハウスの長手方向に略水平方向の空気の流れと、広域的な空気の流れを確保する構成としたハウスの送風システム。
【請求項３】
請求項１に記載のハウスの送風システムに採用するファンが導入ファンであって、
この一方側の防虫ネット及び／又は他方側の防虫ネットを、二枚の防虫ネット材で構成し、この二枚防虫ネット材間に隙間を形成し、前記ハウスの長手方向に略水平方向の空気の流れと、広域的な空気の流れを確保する構成としたハウスの送風システム。
【請求項４】
請求項１に記載のハウスの送風システムに採用するファンが導入ファンであって、
この一方側の防虫ネット及び／又は他方側の防虫ネットを、二枚の防虫ネット材で構成し、この二枚防虫ネット材の上部の防虫ネットの目合いを、下部の防虫ネットの目合いより大きく構成し、前記ハウスの長手方向に略水平方向の空気の流れと、広域的な空気の流れを確保する構成としたハウスの送風システム。
【請求項５】
請求項１に記載のハウスの送風システムに採用するファンが導入ファンであって、
このハウスの長手方向の側面の一方側及び／又は他方側に防虫ネット材を張装する構成とし、前記ハウスの長手方向に略水平方向の空気の流れと、広域的な空気の流れを確保する構成としたハウスの送風システム。
【発明の詳細な説明】
【技術分野】
【０００１】
本発明は、果菜類、根菜類、その他の野菜類を栽培するハウス（ビニールハウス、ガラスハウス等のハウス）の換気システムに関する。
【背景技術】
【０００２】
ハウスにおける送風及び／又は換気システム（ハウス内の送風）は、高温障害、炭酸同化作用、その他作物の生育にとっては必要条件であるとともに、健全な生育と、収穫の拡充及び／又は品質の向上、さらには各人が所望する作物の効率的かつ簡易な栽培等にとって最低限必要となる条件である。
【０００３】
そして、昨今、特に要望されていることは、ハウス内の送風（空気の流れ）において、このハウスの長手方向に略水平方向の空気の流れと、広域的な空気の流れを確保する構成とすることで、例えば、送風領域の拡充と、効率的な送風を確保し、送風量の低量化と、ファンの低容量化等による経済的な効果及び／又は省資源化の達成と、ランニングコストの低廉化等にある。
【０００４】
以上の状況から、その改良と、要望に応え得る研究と、これらに関する文献も種々散見される。以下、これらに関する文献を先行技術として列挙する。
【０００５】
［１］  先ず、ハウスの長手方向の一方側・他方側の妻面（一方側・他方側とする）にファン及び／又は換気扇を設置し、この長手方向において、外気の導入と、これに基づき内気（室内空気）を排気する文献がある。この文献は、基本的には一方側より外気を吸込み、他方側より排気する（「対の妻面換気」とする）構成であり、何れの発明、考案も、原則として、ハウスの換気を図り、作物の高温障害の回避、病気の発生・蔓延防止等（植物の生育環境とする）を意図する。
【０００６】
文献（１）は、特開昭６０−１４５０１６の「農業用建物の室温調節方法」で、対の妻面換気であり、天井全体に散布装置を設け、室温の調節を図る。また文献（２）は、特開平５−１８４２４５の「植物育成環境制御方法」で、前述の文献（１）と同様な構成である。さらに文献（３）は、特開平１０−１５０８６０の「ハウスの換気システム」で、対の妻面換気であり、一方側のファンに装備したダクトが伸縮する構成であり、ダクトからの水滴による弊害解除を図る。また文献（４）は、特開２００２−３４４３５の「乾麺の乾燥方法及びその施設」で、対の妻面換気であり、吊下げた乾麺素材を、略水平方向の空気の流れを介して乾燥する。
【０００７】
［２］  次に、ハウスの長手方向の天井面及び／又は室内の空中に複数個の循環扇を列設し、このハウスの長手方向に室内空気を誘導する文献がある。これらの文献は、何れも、ハウスの長手方向への空気の流れを確保し、ハウス内の温湿度の均一化、又は作物の高温障害の回避、病気の発生・蔓延防止等を意図する。
【０００８】
文献（５）は、実開昭６０−１３６６５７の「温室用循環扇」で、ハウスの天井面より循環扇を吊下かつ列設する構成であり、前述のハウス内の温湿度の均一化等を図る。また文献（６）は、特開２０００−２３２８２６の「ハウス内空気循環システム」で、前述の文献（５）と同様な構成である。
【０００９】
［３］  そして、害虫の侵入防止を図りつつ、植物に最適な植物栽培用施設（ハウス）及び植物栽培方法に関する文献がある。文献（７）は、特開２００４−８０４９の「植物栽培用施設及び植物栽培方法」で、施設の一方側にネットを張装し、その他方に送風手段（複数のファン）を配備し、栽培植物群の列に沿った気流を生成する。
【００１０】
【特許文献１】特開昭６０−１４５０１６
【特許文献２】特開平５−１８４２４５
【特許文献３】特開平１０−１５０８６０
【特許文献４】特開２００２−３４４３５
【特許文献５】実開昭６０−１３６６５７
【特許文献６】特開２０００−２３２８２６
【特許文献７】特開２００４−８０４９
【発明の開示】
【発明が解決しようとする課題】
【００１１】
文献（１）〜文献（４）は、対の妻面換気であり、外気の導入と、内気の排気を図り、ハウスの環境維持を意図する。しかし、この文献（１）〜文献（４）は、ハウス内の空気の流れを画策すること及び／又は植物の生育環境設定に留まり、ハウスの長手方向に略水平方向の空気の流れと、広域的な空気の流れを確保するには、充分でないこと、またハウス内の植物の生育環境等を確保することは困難視される。
【００１２】
また文献（５）、文献（６）は、ハウス内の空気の循環、必要により外気の導入と、内気の排気を図り、ハウスの環境維持を意図する。しかし、これらの考案、発明は、ハウス内の空気の流れを確保する（循環扇の活用）に留まっており、前述の文献（１）〜文献（４）と、ほぼ同様な問題を抱えている。
【００１３】
さらに文献（７）は、ハウスにネットを張装し、多数基のファンを配備する構成である。従って、装置が大型化すること、騒音の問題が発生すること等が考えられる。これらの解消が望まれる。そして、この発明の構成では、効率的な送風を確保し、送風量の低量化と、ファンの低容量化等による経済的な効果及び／又は省資源化の達成と、ランニングコストの低廉化等を図るには、少なからず問題を残すと考えられる。
【課題を解決するための手段】
【００１４】
請求項１の発明は、ハウス内の送風方法であって、このハウスの長手方向において、略均一な略水平方向の空気の流れと、略均一な広域的な空気の流れを確保する構成とすることで、例えば、略均一な生育環境の確保と、送風領域の拡充と、効率的な送風を確保し、送風量の低量化と、ファンの低容量化等による経済的な効果及び／又は省資源化の達成と、ランニングコストの低廉化等を図ることで、例えば、次のようなことを意図する。［イ］  先ず、ハウス内の温度の上昇の解消に役立てること、［ロ］  次に、従来のような温熱環境的に安全な時間帯である日の出後、日没前の数時間程度に限られずに、昼夜の作業を可能とし、効率的な農作業の達成に役立てること、［ハ］  また作業温熱環境の改善に役立てること、［ニ］  強制対流熱伝達を図り、前述の［イ］〜［ハ］の効果を達成すること、等を意図する。
【００１５】
そして、請求項１は、前述の効果の達成で、例えば、従来の施設栽培における農作業の作業強度は、一般的には、そのＲＭＲ（エネルギー代謝率）が１〜２の極軽作業〜軽作業が中心である。そして、高温期の防虫ネットを被覆したハウスでは、日射の増加に伴い、作業者の胸から顔の付近に至っては、ＷＢＧＴ（湿球黒球温度）の上昇が激しく、例えば、日中はネット無被覆ハウスよりも高く推移し、ハウスの温熱環境的に対する問題点を解消することを意図する。
【００１６】
この請求項１は、ハウスの両妻面にファン及び／又は換気扇をそれぞれ設けたハウスの送風システムであって、
このハウスの両妻面内部に一枚又は複数枚の防虫ネットを張装し、前記ファン及び一方側の防虫ネットを介して前記ハウスへの外気の導入、及びこの他方の防虫ネット及び前記換気扇を介してこのハウスの内気の排気を図るとともに、この一方側のファン及び防虫ネット、並びにこの他方の防虫ネット及び換気扇を介して、当該ハウスの長手方向に略水平方向の空気の流れと、広域的な空気の流れを確保する構成としたハウスの送風システムである。
【００１７】
請求項２の発明は、請求項１の目的を達成すること、この目的を達成するのに最適な導入ファンを提供することを意図する。
【００１８】
請求項２は、請求項１に記載のハウスの送風システムに採用するファンが導入ファンであって、
この導入ファンを介して導入した外気を、一方側の防虫ネットで整流し、略水平方向の気流としてハウス内に送風し、このハウスの長手方向に略水平方向の空気の流れと、広域的な空気の流れを確保する構成としたハウスの送風システムである。
【００１９】
請求項３の発明は、請求項１の目的を達成すること、この目的を達成するのに最適な導入ファン及び防虫ネットの構造を提供することを意図する。
【００２０】
請求項３は、請求項１に記載のハウスの送風システムに採用するファンが導入ファンであって、
この一方側の防虫ネット及び／又は他方側の防虫ネットを、二枚の防虫ネット材で構成し、この二枚防虫ネット材間に隙間を形成し、前記ハウスの長手方向に略水平方向の空気の流れと、広域的な空気の流れを確保する構成としたハウスの送風システムである。
【００２１】
請求項４の発明は、請求項１の目的を達成すること、この目的を達成するのに最適な導入ファン及び防虫ネットの目合いの構造を提供することを意図する。
【００２２】
請求項４は、請求項１に記載のハウスの送風システムに採用するファンが導入ファンであって、
この一方側の防虫ネット及び／又は他方側の防虫ネットを、二枚の防虫ネット材で構成し、この二枚防虫ネット材の上部の防虫ネットの目合いを、下部の防虫ネットの目合いより大きく構成し、前記ハウスの長手方向に略水平方向の空気の流れと、広域的な空気の流れを確保する構成としたハウスの送風システムである。
【００２３】
請求項５の発明は、請求項１の目的を達成すること、この目的を達成するのに最適な導入ファン及び防虫ネットの目合いの構造を提供することを意図する。
【００２４】
請求項５は、請求項１に記載のハウスの送風システムに採用するファンが導入ファンであって、
このハウスの長手方向の側面の一方側及び／又は他方側に防虫ネット材を張装する構成とし、前記ハウスの長手方向に略水平方向の空気の流れと、広域的な空気の流れを確保する構成としたハウスの送風システムである。
【発明の効果】
【００２５】
この請求項１の発明は、ハウスの両妻面にファン及び／又は換気扇をそれぞれ設けたハウスの送風システムであって、
ハウスの両妻面内部に一枚又は複数枚の防虫ネットを張装し、ファン及び一方側の防虫ネットを介してハウスへの外気の導入、及び他方の防虫ネット及び換気扇を介してハウスの内気の排気を図るとともに、一方側のファン及び防虫ネット、並びに他方の防虫ネット及び換気扇を介して、ハウスの長手方向に略水平方向の空気の流れと、広域的な空気の流れを確保する構成としたハウスの送風システムである。
【００２６】
従って、請求項１は、ハウス内の送風方法であって、このハウスの長手方向において、略均一な略水平方向の空気の流れと、略均一な広域的な空気の流れを確保する構成とすることで、例えば、略均一な生育環境の確保と、送風領域の拡充と、効率的な送風を確保し、送風量の低量化と、ファンの低容量化等による経済的な効果及び／又は省資源化の達成と、ランニングコストの低廉化等が図れることで、例えば、次のような効果がある。［イ］  先ず、ハウス内の温度の上昇の解消に役立て得ること、［ロ］  次に、従来のような温熱環境的に安全な時間帯である日の出後、日没前の数時間程度に限られずに、昼夜の作業を可能とし、効率的な農作業の達成に役立て得ること、［ハ］  また作業温熱環境の改善に役立て得ること、［ニ］  強制対流熱伝達を図り、前述の［イ］〜［ハ］の効果を達成できること、等である。
【００２７】
そして、請求項１は、前述の効果の達成で、例えば、従来の施設栽培における農作業の作業強度は、一般的には、そのＲＭＲ（エネルギー代謝率）が１〜２の極軽作業〜軽作業が中心である。そして、高温期の防虫ネットを被覆したハウスでは、日射の増加に伴い、作業者の胸から顔の付近に至っては、ＷＢＧＴ（湿球黒球温度）の上昇が激しく、例えば、日中はネット無被覆ハウスよりも高く推移し、ハウスの温熱環境的に対する問題点を解消できる利点がある。
【００２８】
請求項２の発明は、請求項１に記載のハウスの送風システムに採用するファンが導入ファンであって、
導入ファンを介して導入した外気を、一方側の防虫ネットで整流し、略水平方向の気流としてハウス内に送風し、ハウスの長手方向に略水平方向の空気の流れと、広域的な空気の流れを確保する構成としたハウスの送風システムである。
【００２９】
従って、請求項２は、請求項１の目的を達成できること、この目的を達成するのに最適な導入ファンを提供できること等の特徴を有する。
【００３０】
請求項３の発明は、請求項１に記載のハウスの送風システムに採用するファンが導入ファンであって、
一方側の防虫ネット及び／又は他方側の防虫ネットを、二枚の防虫ネット材で構成し、この二枚防虫ネット材間に隙間を形成し、ハウスの長手方向に略水平方向の空気の流れと、広域的な空気の流れを確保する構成としたハウスの送風システムである。
【００３１】
従って、請求項３は、請求項１の目的を達成できること、この目的を達成するのに最適な導入ファン及び防虫ネットの構造を提供できること等の特徴を有する。
【００３２】
請求項４の発明は、請求項１に記載のハウスの送風システムに採用するファンが導入ファンであって、
一方側の防虫ネット及び／又は他方側の防虫ネットを、二枚の防虫ネット材で構成し、二枚防虫ネット材の上部の防虫ネットの目合いを、下部の防虫ネットの目合いより大きく構成し、ハウスの長手方向に略水平方向の空気の流れと、広域的な空気の流れを確保する構成としたハウスの送風システムである。
【００３３】
従って、請求項４は、請求項１の目的を達成できること、この目的を達成するのに最適な導入ファン及び防虫ネットの目合いの構造を提供できること等の特徴を有する。
【００３４】
請求項５の発明は、請求項１に記載のハウスの送風システムに採用するファンが導入ファンであって、
ハウスの長手方向の側面の一方側及び／又は他方側に防虫ネット材を張装する構成とし、ハウスの長手方向に略水平方向の空気の流れと、広域的な空気の流れを確保する構成としたハウスの送風システムである。
【００３５】
従って、請求項５は、請求項１の目的を達成できること、この目的を達成するのに最適な導入ファン及び防虫ネットの目合いの構造を提供できること等の特徴を有する。
【発明を実施するための最良の形態】
【００３６】
本発明の一例を説明する。
【００３７】
図１はネット付き換気扇とネット付きファンを備えた一部省略のハウス全体の側面図、図２は図１に示した一部省略のハウス全体の俯瞰図、図３は図１に示したハウスの要部の正面図、図４は防虫ネットの一例を示した拡大斜視図、図５は防虫ネットの目合いの一例を示した拡大斜視図である。
【００３８】
図において、単棟、連棟等のハウス１の長手方向１ａの両側面１００、１００（１００とする）に防虫ネット２、２をそれぞれ張装し、この長手方向１ａに直交する一方側の妻面１０１にファン４（導入ファン、吸引ファン、強制吸込ファン等のファン）及び／又は他方側の妻面１０１に換気扇５をそれぞれ設ける。そして、この例では、ハウス１の一方側・他方側の妻面１０１、１０１に、間隔７、７（７とする）をおいて防虫ネット８、８（８とする）を、それぞれ張装する。この張装は、ハウス１を間仕切りするように、密封、遮断状態とし、害虫の侵入防止と、益虫の逃避防止を図る構成とし、この構成によって、例えば、無農薬栽培及び／又は益虫の有効利用と、省力化等を達成する。そして、この間隔７は、ファン４を介して（導入側と排気側で）導入した外気の略均一な広域的及び／又は水平的な空気の流れを確保すること（図２参照）、又は外気の略均一な水平導入・排気方式を確保すること（図１参照）等を意図する。この間隔７は、外気の略均一な導入・排気の容易化、送風方向の変更等にも寄与できるものと考えられる。そして、これらの風の流れは、導入側と、排気側の双方において確保できるものであり、その有効性が顕著である。またこの間隔７は、ファン４及び／又は換気扇５の設置スペースの確保と、管理の容易化等に役立て得る等の実益もある。
【００３９】
また、この防虫ネット８を、防虫ネット材８００を二枚重畳し、この二枚の重畳間に隙間１０を形成する構成とし、導入した外気・ハウス１内の空気（内気）の減速を回避し、かつその流れを確保すること、また害虫の侵入防止と、益虫の逃避防止を確実に達成すること、又は保守管理の容易化、張装の簡便化等に役立てること等を意図する。そして、この隙間１０は必ずしも必要でなく、ハウス１の規模、地形・時期・作物等の栽培条件、又はファン４及び／又は換気扇５の規格等を考慮して決定される。尚、図示しないが、防虫ネット材８００の枚数は、一枚から複数枚の構成もあり得る。
【００４０】
そして、この防虫ネット８は、ファン４及び／又は換気扇５との関係、即ち、ハウス１の長手方向１ａにおいて、略均一な略水平方向の空気の流れＡと、略均一な広域的な空気の流れＢを確保するために、その目合いを、上部の防虫ネット８ａの目合いを、下部の防虫ネット８ｂの目合いより大きく構成することも可能である。
【００４１】
尚、図中１１はハウス１の出入口を示す。
【００４２】
このような構成において、ファン４を介してハウス１の全体から略均等に外気を導入する。望ましくは、ハウス１の一方の妻面１０１に設けたファン４を介して外気を導入する。また必要により、その近傍（側面１００）の一部箇所からの外気の導入を図る。即ち、ハウス１の両妻面１０１内部に一枚又は複数枚の防虫ネット８を張装し、ファン４及び一方側の防虫ネット８を介してハウス１への外気の導入、及び他方の防虫ネット８及び換気扇５を介してハウス１の内気の排気を図るとともに、一方側のファン４及び防虫ネット８、並びに他方の防虫ネット８及び換気扇５を介して、ハウス１の長手方向１ａにおいて、略均一な略水平方向の空気の流れＡと、略均一な広域的な空気の流れＢを確保し、下記のような、ハウス１内の生育環境の均一化を確保し、また生理障害の回避を図る。尚、側面１００からの外気の導入を図ることで、前記略水平方向の空気の流れＡと、広域的な空気の流れＢに新たな外気の導入があって、総合的で、かつハウス１全域の流れが確保できる。
【００４３】
［１］  ハウス１の生育環境及び／又はハウス１内の作業環境維持が図れる。
【００４４】
［２］  従来の問題、即ち、施設栽培における農作業の作業強度は、ＲＭＲ（エネルギー代謝率）が１〜２の極軽作業〜軽作業が中心である。そして、高温期のネットを被覆したハウスでは、日射の増加に伴い、作業者の胸から顔の付近に至っては、ＷＢＧＴ（湿球黒球温度）の上昇が激しく、例えば、日中はネット無被覆ハウスよりも高く推移するのに対し、ハウスの温熱環境に関する問題解消に有効である。
【００４５】
［３］  ［イ］  ハウス１内の温度の上昇の解消に役立て得ること、［ロ］  従来のような温熱環境的に安全な時間帯である日の出後、日没前の数時間程度に限られずに、昼夜の作業を可能とし、効率的な農作業の達成に役立て得ること、［ハ］  また作業温熱環境の改善に役立て得ること、［ニ］  強制対流熱伝達が図れること、等の効果がある。
【００４６】
［４］  そして、ネット２をハウス１の床面又は基礎の近傍まで延設することで、匍匐及び／又は飛翔する害虫・害鳥獣（もぐら、うさぎ、昆虫類を含む）の侵入防止が図れる。例えば、アブラムシ類、コナジラミ類、アザミウマ類の如く、側面１００及び／又は換気扇５の開口部等からのハウス１内への侵入防止が図れること（図３参照）、
［５］  ネット２はハウス１の通気性をより低下する問題であるが、本願発明は、ハウス１の側面１００、１００に設けたネット２、２から導入した外気と、ハウス１内の略均一な略水平方向の空気の流れＡと、略均一な広域的な空気の流れＢにより、例えば、つられ風を発生し、ハウス１の空気を一掃できること、高温期の昇温による弊害解消と、作物の枯れ、焼け防止が図れること、等の効果がある。
【００４７】
［６］  つられ風による外気の導入により、ハウス１内をプラス圧とし、ハウス１の倒壊防止と、ファン４、換気扇５の小型化による省エネ、低コスト化が図れる。
【００４８】
尚、図示しないが、ハウス１の天井面１ｂ、空間部１ｃに、誘導ファンを設置し（高低差をもって設置することも可）、前記総合気流ＡＢを加速及び／又は増大することも可能であり、この例では、下記のような相乗的な特性が考えられる。これによって、外気導入式の強制換気システムが構築できること、又は高温抑制システムを提案できること等の実用性がある。
【００４９】
［７］  ハウス１の天井面１ｂにおける温度差換気（図示しない、天窓による）を促進し、またハウス１の温熱環境的に安全に作業できる時間が長くなること、また総合気流ＡＢと換気とによるさらなる複合的な換気及び／又は気流の流れが確保できること、
［８］  外気導入式の強制換気システムが構築できること、又は高温抑制システムを提案できること等の実用性があること、等の効果がある。
【００５０】
［９］  そして、望ましくは、ハウス１の内圧を上げ、耐風、耐震と、虫の侵入防止の効果を図ることができる。
【００５１】
「１０」  高温に弱い作物の栽培も可能となり、重宝する。
【図面の簡単な説明】
【００５２】
【図１】図１はネット付き換気扇とネット付きファンを備えた一部省略のハウス全体の側面図
【図２】図２は図１に示した一部省略のハウス全体の俯瞰図
【図３】図３は図１に示したハウスの要部の正面図
【図４】図４は防虫ネットの一例を示した拡大斜視図
【図５】防虫ネットの目合いの一例を示した拡大斜視図
【符号の説明】
【００５３】
１              ハウス
１ａ            長手方向
１ｂ            天井面
１ｃ            空間部
１００          側面
１０１          妻面
２              防虫ネット
４              換気扇
５              ファン
７              間隔
８              防虫ネット
８ａ            上部の防虫ネット
８ｂ            下部の防虫ネット
８００          防虫ネット材
１０            隙間
１１            出入口
Ａ              略水平方向の空気の流れ
Ｂ              広域的な空気の流れ
【図１】
2008061544.tif 000003
【図２】
2008061544.tif 000004
【図３】
2008061544.tif 000005
【図４】
2008061544.tif 000006
【図５】
2008061544.tif 000007